(57)【要約】【課題】ドライバー・脚立・梯子・椅子・ベッド・机・各種三脚・杖・松葉杖・ジャッキなどで、先の部分（足の部分）を一旦抜き取って、位置をずらして（回転させて）差し直すと、長さが可変する機構があれば便利である。【解決手段】６角ボルトを締めたり、緩めたりするのに使うソケットは６角のものと、１２角のものがある。ビット挿入用穴ホルダーをこのソケットと同じものでつくる。挿入用穴ホルダーの手前半分位を１２角にし、奥半分位を６角にする。奥の６角部分は、手前の１２角のうちの６角部分とピッタリ合うようにつなぐ。６角形ビットの場合は、ビット挿入用穴の、どれかの位置に差し込んで、奥の方まで差し込めたとすると、ビットを一旦抜き取って、１コマ回転した位置で差し込むと、手前約１／２のところで止まる。ビットの差し込み穴を選択することで、長めのドライバーと短めのドライバーに使い分けできる。他の脚立・三脚なども同様である。【選択図】  図１
2004338074.tif 000002
【特許請求の範囲】
【請求項１】
６角ビット差し込み式ドライバーで、ビット挿入口から奥まで差し込むとき、挿入口から途中までと、途中から奥までの差し込み穴の形状を変えること。又、ビットの差し込み位置（回転させた位置）ごとに、２種類の差し込み位置を選択できる長さ可変ドライバー。
【請求項２】
四角ビット差し込み式ドライバーで、ビット挿入口から奥まで差し込むとき、挿入口から１／３位まで、挿入口の１／３から２／３位まで、２／３位から奥までの差し込み穴の形状を変えることで、ビットの差し込み位置（回転させた位置）ごとに、３種類の差し込み位置を選択できる長さ可変ドライバー。
【請求項３】
外形が６角で内側にビットが差し込めるようにしたホルダー（内側の手前約１／２が１２角で奥が６角のソケット形状）をドライバーの柄の６角のホルダー用挿入穴にも差し込める機構で、４通りの長さを選択できる長さ可変ドライバー。
【請求項４】
脚立・梯子の足に請求項１または、請求項２、または、請求項３と同一の機構を取り付けた、長さ可変式、脚立・梯子。
【請求項５】
椅子・ベッド・机・机に類する架台などの足に請求項１または、請求項２、または、請求項３と同一の機構を取り付けた、長さ可変式、椅子・ベッド・机・机に類する架台など。
【請求項６】
カメラの三脚の足に請求項１または、請求項２、または、請求項３と同一の機構を取り付けた、長さ可変式、三脚。
【請求項７】
測量機の三脚の足に請求項１または、請求項２、または、請求項３と同一の機構を取り付けた、長さ可変式、測量機。
【請求項８】
杖・または、松葉杖の足に請求項１または、請求項２、または、請求項３と同一の機構を取り付けた、長さ可変式、杖または、松葉杖。
【請求項９】
油圧ジャッキが上下スライドする際の円柱部分の内側を請求項１または、請求項２、または、請求項３と同一の機構を取り付け、ビットに相当する部分に雌ネジ加工（角ネジ）してねじ込んだボルト側も上下（このネジ部分は通常のジャッキと同一）するネジ機構以外の部分も長さが可変できる油圧ジャッキ。
【発明の詳細な説明】
【０００１】
【発明の属する技術分野】
本発明は長さが可変するドライバー・脚立・梯子・椅子・ベッド・机・各種三脚・杖・松葉杖・ジャッキに関する。
【０００２】
【従来の技術】
従来のドライバーで、ドライバーの柄にビットを差し替えるタイプのものでは、ビットを長いものや、短いものに取り替えれば、１本の柄で長いドライバーと短いドライバーにする事ができたが、１本の柄と１本のビットだけでは、長さの違うドライバーとしては使えなかった。ドライバー以外の請求項についても、一旦、抜き取ってから差しなおす方法で、長さを可変できるものは無かった。
【０００３】
【発明が解決しようとする課題】
ドライバーの１本の柄と１本のビットだけの組み合わせで、長さの違うドライバーとして使えるようにする。また、ビットに近い長さの、外形が６角で内側にビットが挿入できるようにしたパイプ形状の金属ホルダーとの組み合わせで、４段階の長さで使い分けできるドライバーにする。ドライバー以外の請求項についても、一旦、抜き取ってから差しなおす方法で、長さを可変できるようにする。
以下、原理は同じなので、ドライバー以外については一部省略する。
【０００４】
【課題を解決するための手段】
６角ボルトを締めたり、緩めたりするのに使うソケットは６角のものと、１２角のものがある。ビット挿入用穴ホルダーをこのソケットと同じものでつくる。ドライバーの柄にビット挿入用穴ホルダーを柄の端部（ドライバー軸から遠い方）近くまで埋め込む。
【０００５】
手前半分位を１２角（ソケットと同じ形状）にし、奥半分位を６角にする。奥の６角部分は、手前の１２角のうちの６角部分とピッタリ合うようにつなぐ。
【０００６】
四角形ビット用のビット挿入用穴ホルダーは四角形を中心から３０°ずつ回転させた図形を描くと１２角のソケットと同じようになる（角の角度は違うが）ので同じようにソケットをつくる。ドライバーの柄にビット挿入用穴ホルダーを柄の端部（ドライバー軸から遠い方）近くまで埋め込む。
【０００７】
四角形ビットを差し込むと３０°ずつずれるので、３通りの位置での差し込み方ができる。手前１／３位は１２角（ソケットと同じ形状）にし、１通り目の差し込みだけは、手前、１／３位で止まるような形にする。２通り目の差し込みは手前２／３位で止まるような形にする。３通り目の差し込みは奥まで差し込めるようにする。
【０００８】
【発明の実施の形態】
６角形ビット挿入用穴ホルダーに６角形ビットを最初に差し込んだあと、抜き取って１コマずらした位置で差し込む場合、どちらかが、手前１／２位の所で止まり、もう一方が奥まで差し込める。
【０００９】
４角形ビット挿入用穴ホルダーに４角形ビットを最初に差し込んだとき手前１／３で止まったとすると、抜き取って１コマずらした位置で差し込むと手前２／３位で止まる。抜き取って、もう１コマずらした位置にすると奥まで差し込める。つまり、差し込む位置によって、３種類の長さの差し込み方法が可能になる。
【００１０】
抜け止めには、ビットの角が当たるビット挿入用穴ホルダーのところに、穴を明け、ボールベアリングをはめ込む。ビット挿入用穴ホルダーの内側はボールベアリングが抜け落ちず、少しはみ出る程度の穴加工にする。ボールベアリングの外側はボールベアリングの直径より少し小さい穴の開いた帯鋼のリングで押さえる。帯鋼のバネ効果でビットが抜けないように保持できる。
【００１１】
【発明の効果】
６角形ビットの場合は、ビット挿入用穴の、どれかの位置に差し込んで、奥の方まで差し込めたとすると、ビットを一旦抜き取って、１コマずらした位置で差し込むと、手前約１／２のところで止まる。ビットの差し込み穴を選択することで、長めのドライバーと短めのドライバーに使い分けできる。
【００１２】
４角形ビットの場合は、ビット挿入用穴の、どれかの位置に差し込んで、手前１／３まで差し込めたとすると、ビットを一旦抜き取って、１コマずらした位置で差しこむと、手前２／３位で止まる。もう１回抜き取って、また１コマずらすと奥まで差し込める。ビットの差し込み穴を選択することで、長めのドライバーと中位の長さのドライバー、短めのドライバーに使い分けできる。
【００１３】
６角ホルダーを取り付けるタイプのものは、ドライバーの柄の６角のホルダー用挿入穴の１２角穴に６角ホルダーを６角穴まで届くように差し込み、６角ホルダーの１２角穴に、６角ビットを６角穴まで届くように差し込むと、全長の短いドライバーになる。逆に６角のホルダー用挿入穴の６角穴の所で、止まる位置に６角ホルダーを差し込み、６角ホルダーの６角穴の所で、止まる位置にビットを差し込むと全長の長いドライバーになる。また、６角穴の片方は長くなる差し込み方、もう一方は短くなる差し込みにすると、全長が中位のドライバーになる。
【図面の簡単な説明】
【図１】６角ビット用の１２角のビット挿入口の平面図である。
（図３）のＡ断面を下方に向かって見た平面図である。
【図２】６角ビット用の６角のビット挿入口の平面図である。
（図３）のＢ断面を下方に向かって見た平面図である。
【図３】６角ビット用のホルダーの断面図である。
【図４】４角ビット用の１２角のビット挿入口の平面図である。
（図７）のＡ断面を下方に向かって見た平面図である。
【図５】４角ビット用の１２角のビット挿入口の平面図である。
（図７）のＢ断面を下方に向かって見た平面図である。
【図６】４角ビット用の１２角のビット挿入口の平面図である。
（図７）のＣ断面を下方に向かって見た平面図である。
【図１】
2004338074.tif 000003
【図２】
2004338074.tif 000004
【図３】
2004338074.tif 000005
【図４】
2004338074.tif 000006
【図５】
2004338074.tif 000007
【図６】
2004338074.tif 000008
【図７】
2004338074.tif 000009
【手続補正書】
【提出日】平成15年10月23日(2003.10.23)
【手続補正１】
【補正対象書類名】明細書
【補正対象項目名】図面の簡単な説明
【補正方法】変更
【補正の内容】
【図面の簡単な説明】
【図１】６角ビット用の１２角のビット挿入口の平面図である。
（図３）のＡ断面を下方に向かって見た平面図である。
【図２】６角ビット用の６角のビット挿入口の平面図である。
（図３）のＢ断面を下方に向かって見た平面図である。
【図３】６角ビット用のホルダーの断面図である。
【図４】４角ビット用の１２角のビット挿入口の平面図である。
（図７）のＡ断面を下方に向かって見た平面図である。
【図５】４角ビット用の１２角のビット挿入口の平面図である。
（図７）のＢ断面を下方に向かって見た平面図である。
【図６】４角ビット用の１２角のビット挿入口の平面図である。
（図７）のＣ断面を下方に向かって見た平面図である。
【図７】４角ビット用のホルダーの断面図である。
【符号の説明】
（図３）Ａは（図１）の断面位置である。
（図３）Ｂは（図２）の断面位置である。
（図７）Ａは（図４）の断面位置である。
（図７）Ｂは（図５）の断面位置である。
（図７）Ｃは（図６）の断面位置である。